(57)【要約】【課題】本発明はハウジングの開孔内をさらに加工することなく、ピストンポンプ周囲の圧力媒体の流れを最適化できる液圧制御ユニットの提供を目的とする。【解決手段】本発明の液圧制御ユニットは、ハウジング３０に形成される開孔３１ｆと、開孔３１ｆに収容されて圧力媒体を圧送するピストンポンプと、ピストンポンプを前記ハウジング３０に密封すると共に圧力媒体を導くポンプクロージングカバー５５と、ポンプクロージングカバー５５から流れる圧力媒体を受け入れるようにハウジング３０内に形成される流路１１ｂとを有する。ポンプクロージングカバー５５が、その内部から流路１１ｂに圧力媒体を流すために複数の外周溝部５５ｂを備える。【選択図】図７
2013107546.tif 000002
【特許請求の範囲】
【請求項１】
ハウジングに形成される開孔と、前記開孔に収容されて圧力媒体を圧送するピストンポンプと、前記ピストンポンプを前記ハウジングに密封すると共に前記圧力媒体を導くポンプクロージングカバーと、前記ポンプクロージングカバーから流れる前記圧力媒体を受け入れるように前記ハウジング内に形成される流路と、を有する液圧制御ユニットにおいて、
前記ポンプクロージングカバーが、その内部から前記流路に前記圧力媒体を流すために複数の外周溝部を備えることを特徴とする液圧制御ユニット。
【請求項２】
請求項１に記載の液圧制御ユニットにおいて、
前記複数の外周溝部が、前記ポンプクロージングカバーの外周面に等間隔で設けられることを特徴とする液圧制御ユニット。
【請求項３】
請求項１に記載の液圧制御ユニットにおいて、
前記複数の外周溝部が、前記ポンプクロージングカバーの長手方向軸線と平行に設けられることを特徴とする液圧制御ユニット。
【請求項４】
請求項１に記載の液圧制御ユニットにおいて、
前記複数の外周溝部は、前記ポンプクロージングカバーの開口端部側に設けられることを特徴とする液圧制御ユニット。
【請求項５】
請求項１に記載の液圧制御ユニットにおいて、
前記ポンプクロージングカバーが、前記吐出弁から前記外周溝部に前記圧力媒体を流すために複数の内周溝部を備えることを特徴とする液圧制御ユニット。
【請求項６】
請求項５に記載の液圧制御ユニットにおいて、
前記複数の内周溝部が、前記ポンプクロージングカバーの内周面に等間隔で設けられることを特徴とする液圧制御ユニット。
【請求項７】
請求項５に記載の液圧制御ユニットにおいて、
前記複数の内周溝部が、前記ポンプクロージングカバーの長手方向軸線と平行に設けられることを特徴とする液圧制御ユニット。
【請求項８】
請求項５に記載の液圧制御ユニットにおいて、
前記複数の内周溝部が、前記ポンプクロージングカバーの開口端部側に設けられることを特徴とする液圧制御ユニット。
【請求項９】
請求項１に記載の液圧制御ユニットにおいて、
前記ポンプクロージングカバーが、前記複数の外周溝部の間に小径部を備えることを特徴とする液圧制御ユニット。
【発明の詳細な説明】
【技術分野】
【０００１】
本発明は、自動車や自動二輪車用の液圧制御ユニットに関し、より詳細には、液圧制御ユニット内の流路構造に関するものである。
【背景技術】
【０００２】
自動車や自動二輪車用の液圧制御ユニットは、マスタシリンダとホイールシリンダとの間に配設され、マスタシリンダからホイールシリンダへ供給される圧力媒体（ブレーキ液）の圧力を制御し、ホイールがロックすると車両のアンチロック・ブレーキ・システム（ＡＢＳ）で制動を行う。さらに、液圧制御ユニットは、マスタシリンダとホイールシリンダとを連結する流路と、流路内を流れる圧力媒体の流れを切替える複数の電磁切替弁と、この電磁切替弁を制御して圧力媒体の圧力を制御する電子制御ユニットと、圧力媒体をホイールシリンダからマスタシリンダへ戻すためのポンプと、を備える。
【０００３】
特開２０１１−５１３５９号公報は、本出願人による出願であり、図１に示すような液圧制御ユニット１０を備えている。図１に加えて図２〜図４を参照して、本発明の前提となる液圧制御ユニットの構造を説明する。
【０００４】
図１は、液圧制御ユニット１０の構成を示す分解斜視図である。液圧制御ユニット１０は、ハウジング３０と、前輪用ＥＶ弁１と、前輪用ＡＶ弁２と、後輪用ＥＶ弁３と、後輪用ＡＶ弁４と、圧力媒体圧を検出する圧力センサ１３と、圧力媒体を加圧する一対のピストンポンプ５ａ、５ｂと、弁１〜４等を駆動制御するＥＣＵ８と、ピストンポンプ５ａ、５ｂを駆動するモータ７と、圧力媒体を受け入れるリザーバ９、１２とを備える。
【０００５】
ハウジング３０は、例えば、アルミニウム等の金属製であり、略直方体形状のブロックから形成される。また、ハウジング３０の内部には、前輪用流路と後輪用流路とからなる流路が形成される。また、ハウジング３０の複数の側面には、前輪用及び後輪用流路に連通する複数の取付孔が形成される。
【０００６】
図２は、図１の液圧制御ユニットの流路構造を示す要部断面図である。図２において、前輪用の液圧回路に関する断面構造のみを示している。図２で省略された後輪側の液圧回路に関する断面構造は、図２に示す断面の右辺を中心線としてほぼ線対称の構造である。
【０００７】
図２において、ハウジング３０には、その一側面３０ｂに形成されたピストンポンプ収容開孔３１ｆと、モータ７の回転を偏心動に変えるピストン駆動部材（偏心カム）５１と、ピストン駆動部材５１に接触しその動きに連動して往復動するピストン５２と、ピストン５２の左端側を収容するピストン収容部材５３と、ピストン収容部材５３内に配置されリザーバ９から圧力媒体を吸入する吸入弁６０と、ピストン収容部材５３に設けられる吸入弁６０と、ピストン収容部材５３に設けられ流路１１ａから吸入弁６０に流れる圧力媒体をフィルタリングするフィルター６１と、ピストン収容部材５３の左端側に取り付けられるポンプクロージングカバー５５と、ピストン収容部材５３及びポンプクロージングカバー５５との間に設けられる吐出弁７０とを備える。なお、図１のピストンポンプ５ａは、図２のピストン駆動部材５１、ピストン５２、吸入弁６０、フィルター６１、ピストン収容部材５３、吐出弁７０から構成される。
【０００８】
圧力媒体は、リザーバ９から流路１１ａを通って、開孔３１ｆとピストン収容部材５３との間の空間に流入し、当該空間から、フィルター６１、吸入弁６０、吐出弁７０を通って、後述のリセス部３２を介して下流流路１１ｂに流出する。
【０００９】
圧力媒体は、ラジアルピストンポンプ５ａの動作により吐出された下流流路１１ｂに送られるが、設計の制約上、ポンプ吐出部と液圧回路の下流流路１１ｂとは直接接続できない場合が生じる。このようにピストンポンプにより圧力媒体の流路が遮蔽される場合に、金属製ブロックであるハウジング３０側で開孔３１ｆ内面を切削加工してリセス部（アンダーカット部）３２を形成して流路としていた。
【００１０】
図３は、ハウジング３０の側面３０ｂに形成されたピストンポンプ収容開孔３１ｆの拡大斜視図である。図３において、開孔３１ｆは円柱状空間であるが、その内面にリセス部３２が形成されている。
【００１１】
図４は、リセス部３２の周囲を流れる圧力媒体を示すハウジング３０の切欠拡大図である。圧力媒体は、図４に矢印で示すように、有底筒状のポンプクロージングカバー５５の内面に形成されたポンプ吐出部５５ａからリセス部３２を通って下流流路１１ｂに流れる。
【先行技術文献】
【特許文献】
【００１２】
【特許文献１】特開２０１１−５１３５９号公報
【発明の概要】
【発明が解決しようとする課題】
【００１３】
図４のような構造では、リセス部３１ａを形成するために追加の加工刃具及び追加の切削工程が必要となり、加工時間や費用も増加する。また、リセス部を切削形成するためにハウジング内にスペースが必要となり、リセス部周囲の流路の配置等のデザインが制約されるおそれが生じる。
【００１４】
そこで、本発明はハウジングの開孔内をさらに加工することなく、ピストンポンプ周囲の圧力媒体の流れを最適化できる液圧制御ユニットの提供を目的とする。
【課題を解決するための手段】
【００１５】
上記課題を解決するために、本発明の液圧制御ユニットは、ハウジングに形成される開孔と、前記開孔に収容されて圧力媒体を圧送するピストンポンプと、前記ピストンポンプを前記ハウジングに密封すると共に前記圧力媒体を導くポンプクロージングカバーと、前記ポンプクロージングカバーから流れる前記圧力媒体を受け入れるように前記ハウジング内に形成される流路と、を有する液圧制御ユニットにおいて、前記ポンプクロージングカバーが、その内部から前記流路に前記圧力媒体を流すために複数の外周溝部を備える。
【００１６】
前記複数の外周溝部が、前記ポンプクロージングカバーの外周面に等間隔で設けられる。前記複数の外周溝部が、前記ポンプクロージングカバーの長手方向軸線と平行に設けられる。前記複数の外周溝部は、前記ポンプクロージングカバーの開口端部側に設けられる。
【００１７】
前記ポンプクロージングカバーが、前記吐出弁から前記外周溝部に前記圧力媒体を流すために複数の内周溝部を備える。前記複数の内周溝部が、前記ポンプクロージングカバーの内周面に等間隔で設けられる。前記複数の内周溝部が、前記ポンプクロージングカバーの長手方向軸線と平行に設けられる。前記複数の内周溝部が、前記ポンプクロージングカバーの開口端部側に設けられる。前記ポンプクロージングカバーが、前記複数の外周溝部の間に小径部を備える。
【発明の効果】
【００１８】
本発明の液圧制御ユニットによれば、ポンプクロージングカバー側に圧力媒体の流路を設けることで、流路確保のためのハウジング側のリセス加工を不要としてハウジング加工用の治具及び工数を削減しつつ、従来に劣らないレイアウトの自由度を確保することができる。
【図面の簡単な説明】
【００１９】
【図１】従来の液圧制御ユニットの分解斜視図である。
【図２】図１の液圧制御ユニット内の流路を示す要部断面図である。
【図３】図１のピストンポンプ用開孔を示す要部拡大図である。
【図４】図２のリセス部周囲の圧力媒体の流れを示す切欠斜視図である。
【図５】本発明の実施形態に係るポンプクロージングカバーの正面図である。
【図６】本発明の実施形態に係るポンプクロージングカバーの側面図である。
【図７】本発明の実施形態に係るポンプクロージングカバー周囲の圧力媒体の流れを示す切欠斜視図である。
【発明を実施するための形態】
【００２０】
本発明の液圧制御ユニットに係る実施形態を、以下、図５〜図７を参照しつつ説明する。なお、図１〜図４に示した部材に対応する部材には同一符号を付して説明を省略する。
図５及び図６に示すように、本実施形態に係るポンプクロージングカバー５５は、有底筒状であり、複数の内周溝部５５ａと、複数の外周溝部５５ｂとが交互に形成されている。内周溝部５５ａは、細長い溝であり、ポンプクロージングカバー５５の内周面に等間隔で６つ形成されている。外周溝部５５ｂは、細長い溝であり、ポンプクロージングカバー５５の外周面に等間隔で６つ形成されている。
【００２１】
なお、本実施形態では、内周溝部５５ａ及び外周溝部５５ｂの数は、それぞれ６つとしたが、ユニットの組立時にポンプクロージングカバー５５の周方向における位置決め工程を不要とするものであるため、その数は６つに限定されず適切な流量を確保できればいい。また、内周溝部５５ａ、外周溝部５５ｂは、ポンプクロージングカバー５５の中心軸線（長手方向軸線）Ａに対して互いに平行であるが、中心軸線Ａに対して螺旋状に曲がって形成されてもよい。
【００２２】
さらに、図６に示すように、ポンプクロージングカバー５５は、その開口端部５５ｄ側の外周面の外周溝部５５ｂが形成されていない部分に、小径部５５ｃが設けられている。ポンプクロージングカバー５５が開孔３１ｆに装着されると、小径部５５ｃ表面は、開孔３１ｆ内面に当接しない状態で、ポンプクロージングカバー５５の他の外周面が開孔３１ｆと当接して固定される。
【００２３】
液圧制御ユニットの作動時に、圧力媒体は、吐出弁７０からポンプクロージングカバー５５の内面に流出する。図７に矢印で示すように、圧力媒体は、内周溝部５５ａとピストン収容部材５３との間を通って、ポンプクロージングカバー５５の開口端部５５ｄに流れる。さらに、圧力媒体は、ポンプクロージングカバー５５の開口端部５５ｄから、外周溝部５５ｂと、ピストンポンプ収容開孔３１との間の空間を通って、ハウジング３０に形成された下流回路側の流路１１ｂに流れる。
【符号の説明】
【００２４】
３１ｆ  ピストンポンプ収容開孔
５５    ポンプクロージングカバー
５５ａ  内周溝部
５５ｂ  外周溝部
５５ｃ  小径部
５５ｄ  開口端部
【図１】
2013107546.tif 000003
【図２】
2013107546.tif 000004
【図３】
2013107546.tif 000005
【図４】
2013107546.tif 000006
【図５】
2013107546.tif 000007
【図６】
2013107546.tif 000008
【図７】
2013107546.tif 000009